(57)【要約】本発明は、パケットベースの移動無線網において特定の群に対応付け可能なＩＰパケットを分離するための方法に関するものであり、移動無線網の第１の認可されたネットワーク要素のなかで移動無線網に到来するすべてのＩＰパケットが少なくとも１つの群への対応付け可能性に関して検査され、また少なくとも特定の群に対応付け可能なＩＰパケットに対して群特有のマーキングがこれらのＩＰパケットの少なくとも１つの、特に各々の、ヘッダーの領域において行われる。
2006514476.tif 000002
【特許請求の範囲】
【請求項１】
パケットベースの移動無線網において特定の群に対応付け可能なＩＰパケットを分離するための方法において、
移動無線網の第１の認可されたネットワーク要素において移動無線網に到来するすべてのＩＰパケットが少なくとも１つの群への対応付け可能性に関して検査され、また
少なくとも特定の群に対応付け可能なＩＰパケットに対して群特有のマーキングがこれらのＩＰパケットの少なくとも１つの、特に各々の、ヘッダーの領域において行われる
ことを特徴とする特定の群に対応付け可能なＩＰパケットの分離方法。
【請求項２】
各ヘッダーのそれぞれ１つの領域が使用され、その領域要素が各ＩＰパケットの伝送のために予定されているデータにより完全には占められていないことを特徴とする請求項１記載の方法。
【請求項３】
ＩＰｖ６規定に従って構成されているＩＰパケットが使用されることを特徴とする請求項１または２記載の方法。
【請求項４】
各ヘッダーの領域として“フローラベル”領域が使用されることを特徴とする請求項１ないし３のいずれか１つに記載の方法。
【請求項５】
各ヘッダーの領域として“インタフェースＩＤ”領域が使用されることを特徴とする請求項１ないし３のいずれか１つに記載の方法。
【請求項６】
各ヘッダーの領域として“拡張ヘッダー”領域が使用されることを特徴とする請求項１ないし３のいずれか１つに記載の方法。
【請求項７】
第１の認可されたネットワーク要素がデータチャネルに送信者側のＩＰスタックと受信者側のＩＰスタックとの間において配置されていることを特徴とする請求項１ないし６のいずれか１つに記載の方法。
【請求項８】
特定の群が、同一のＰＤＰコンテクストに対応付け可能であるすべてのＩＰパケットとされることを特徴とする請求項１ないし７のいずれか１つに記載の方法。
【請求項９】
ＩＰパケットのマーキングが第２の認可されたネットワーク要素により認識され、相応のＩＰパケットが特別な取扱を受けることを特徴とする請求項１ないし８のいずれか１つに記載の方法。
【請求項１０】
第１の認可されたネットワーク要素を最初に通過するＩＰパケットの際にのみ、他の同一の群に対応付け可能なすべてのＩＰパケットが第２の認可されたネットワーク要素により同一の群に対応付け可能として認識可能であるように、マーキングが行われることを特徴とする請求項１ないし９のいずれか１つに記載の方法。
【請求項１１】
第２の認可されたネットワーク要素が料金把握ユニットであり、マークされたＩＰパケットが無料と認識されることを特徴とする請求項９または１０記載の方法。
【請求項１２】
ＩＰパケットが移動無線網の通過すべき境界要素であって、その間に移動無線網の認可されたネットワーク要素が位置している境界要素に、移動無線網に到来するすべてのマークされたＩＰパケットのマーキングを消去する安全機能が導入されることを特徴とする請求項９ないし１１のいずれか１つに記載の方法。
【請求項１３】
安全機能がビットマスクを使用することを特徴とする請求項１２記載の方法。
【請求項１４】
受信側の端末装置において、到来するＩＰパケットのマーキングを評価するための機能と評価に相応する指示とが行われることを特徴とする請求項１ないし１３のいずれか１つに記載の方法。
【請求項１５】
ＩＰパケットがＩＰパケットの特定の群に対応付け可能であり、群特有のマーキングがヘッダーの領域に書込まれていることを特徴とするヘッダーおよびデータコンテナを有するＩＰパケット。
【請求項１６】
ヘッダーの領域が、その領域要素がＩＰパケットの伝送のために予定されているデータにより完全には占められていない領域であることを特徴とする請求項１５記載のＩＰパケット。
【請求項１７】
ＩＰパケットがＩＰｖ６規定に従って構成されていることを特徴とする請求項１５または１６記載のＩＰパケット。
【請求項１８】
ＩＰパケットが無料であることをマーキングが指示することを特徴とする請求項１５ないし１７のいずれか１つに記載のＩＰパケット。
【発明の詳細な説明】
【技術分野】
【０００１】
本発明は、特定の群に対応付け可能なＩＰパケットを分離するための方法およびＩＰパケットに関するものである。無線および有線の通信網においてはしばしば、データパケット（たとえばＩＰパケット、ＩＰ＝インターネットプロトコル）の伝送に基づく通信方法が使用される。その場合パケットベースの移動無線網ということがいわれる。このようなＩＰパケットはヘッダー（ヘッド部分）と、ヘッダーに続くデータコンテナとから成っている。このようなヘッダーの構成はたとえばS.DeeringおよびR.Hindenによる印刷物"Network Working Group，Request for comments 2460，Internet Protocol，Version 6 (IPv6) Specification"、1998年12月、特に第3章"IPv６ Header Format"に記載されている。ヘッダーおよびデータコンテナはＩＰパケットを形成する。ヘッダーには、ＩＰパケット送信器からＩＰパケット受信器へＩＰパケットを伝送するために必要なデータが記憶されている。
【０００２】
パケットベースの移動無線網においては、料金把握（レジストレーション）はなかんずく伝送されるＩＰパケットの把握に基づいている。料金はその際に利用者からまた利用者へ伝送されるＩＰパケットの全ボリュームから計算される。しかしＩＰパケットフローのなかに、特にＩＰｖ６バージョンの応用の場合には、応用の純粋な利用データとならんで、たとえば（無状態の）コンフィギュレーションまたはセグメント化（ＭＴＵディスカバリー）のような内部の信号データも含まれている。伝送される信号ＩＰパケットはトンネル内で移動無線網のネットワーク要素を通じて伝送される。その際にそれらは利用ＩＰパケットと同一のトンネル内で伝送される。従って信号ＩＰパケットが利用ＩＰパケットから容易には区別または分離され得ない。それにより相応の利用者が、前記のように量的な料金把握により、このＩＰパケットに対して、このＩＰパケットが本来の利用データを運ばないにもかかわらず料金を請求される。信号ＩＰパケットはそれどころかネットワークオペレータの要求および必要性に寄与し、また加入者に対して重要性を有していない。極端な場合には応用ソフトウェアも進行しない。いわゆる“常時接続”会議の際にはたとえば、ルータアドレス、すなわちＩＰパケット・スイッチング、のようなＩＰｖ６信号パラメータを含んでいるＩＰパケットが伝送される。たとい利用者がたとえばウェブ・アクセスのようなサービスを全く要求しないとしても、これらのＩＰパケットが料金把握の際に把握され、利用者に料金請求される。
【０００３】
さらに、複数の応用がＩＰパケットフローをそのデータを伝送するために使用し得る。複数の応用によるＩＰパケットフローの同時の利用は、まさに特定の応用による無料のデータの伝送の際に、どのようにデータを区別または分離すべきかという問題に通じ得る。
【０００４】
さらに、オペレータが特定の場合に利用者に任意のサービスを、すなわち特定の個々の応用ではなく任意のデータ伝送に対する完全なＰＤＰコンテクストを、無料で提供したい可能性がある。ここでも、これらのＰＤＰコンテクストに対応付けられるＩＰパケットを他のＩＰパケットから分離するという問題が生ずる。
【０００５】
従って、本発明の課題は、特定の群に対応付け可能なＩＰパケットの分離を確実かつ経済的な仕方で可能にする方法およびＩＰパケットを提供することである。
【０００６】
この課題は、本発明によれば、請求項１による本発明による方法および請求項１５による本発明によるＩＰパケットにより解決される。有利な実施形態は相応の従属請求項にあげられている。
【０００７】
本発明によれば、パケットベースの移動無線網において特定の群に対応付け可能なＩＰパケットを分離するための方法において、移動無線網の第１の認可されたネットワーク要素において移動無線網に到来するすべてのＩＰパケットが少なくとも１つの群への対応付け可能性に関して検査され、また少なくとも特定の群に対応付け可能なＩＰパケットに対して群特有のマーキングがこれらのＩＰパケットの少なくとも１つの、特に各々の、ヘッダーの領域において行われる。その際、マーキングが伝送データの受け入れのために予め定められている各ヘッダーの領域において行われることは特に有利である。
【０００８】
本発明による方法は、各ヘッダーの領域が使用されその領域要素がＩＰパケットの伝送のために予定されている伝送データにより不完全に占められているように構成されていてよい。それにより有利な仕方で、“利用されない”領域要素が有意義に利用され得る。このことは、伝送の際に伝送データの受入れのために必要とされない、または完全には必要とされないが、事情によっては“零”で満たされて一緒に伝送される各ヘッダーの領域要素に関することである。
【０００９】
本発明による方法に対して、ＩＰｖ６規定に従って構成されているＩＰパケットが使用されることは好ましい。
【００１０】
各ヘッダーの領域として“フローラベル”領域が使用されることは有利である。この領域はしばしば伝送データを記憶するために必要とされないので、この領域の領域要素は占有されておらず、マーキングのための場所を提供する。
【００１１】
同じく、各ヘッダーの領域として、ＩＰパケットの各ヘッダーのアドレス領域の“インタフェースＩＤ”領域が有利に使用され得る。ヘッダーのアドレス領域の“インタフェースＩＤ”領域はしばしば、すべての領域要素（ビットまたはバイト）がインタフェースＩＤ情報の受入れのために必要とされているわけではないような大きさにディメンジョニングされている。それにより本発明によれば、利用されないビットまたはバイトがマーキングのために使用され得る。
【００１２】
さらに、マーキングが受入れられる付加のＩＰｖ６ヘッダーが有利に定義され得る。この付加のヘッダーは“拡張ヘッダー”と呼ばれる。現在複数の拡張ヘッダーがＩＰｖ６のなかに定義されている。本発明の枠内で、たとえば“hop-by-hop option header"形式の存在する拡張ヘッダーを使用し、また、そのヘッダーが本来の内容の先行の記述を与えられることによって、ヘッダーを内容的に形成することも可能である。これは情報技術の分野ではＴＬＶ（type，length，value）と呼ばれる。
【００１３】
本発明による方法は、移動無線網の第１の認可されたネットワーク要素における各ヘッダーの領域へのマーキングが書き込まれる、ないし行われるように構成することができ、その際第１の認可されたネットワーク要素がデータチャネルに送信者側のＩＰスタックと受信者側のＩＰスタックとの間において配置されている。それにより、たとえばデータチャネルのオペレータの交換ユニットまたはアプリケーション計算機のようなデータチャネルにアクセスする装置に対して、このデータチャネルを経て運ばれるＩＰパケットにマーキングを与えることが可能になる。
【００１４】
本発明による方法の好ましい実施形態では、ＩＰパケットのマーキングは少なくとも第２の認可されたネットワーク要素により認識され、また相応のＩＰパケットが特定の取扱を受ける。
【００１５】
好ましくは、第２の認可されたネットワーク要素は料金把握ユニットであり、またマークされたＩＰパケットが無料と認識される。第１の認可されたネットワーク要素においてのみコスト的に重要なパケットをコスト的に重要でないパケットから隔ないし分離し、またマークする費用は、いわゆる料金チケットを発生する立場にあるすべてのネットワーク要素において区別または認識を実行するよりもはるかにわずかである。たとえば料金請求されるべきでない信号パケットの場合には、直接的なＩＰパケットに基づく料金請求は、いったん信号パケットとして認識され、またこうしてマークされたＩＰパケットの分離により過程を顕著に簡単化する。なぜならば、たとえばｎのネットワーク要素の際にｎ−１回の分類および分離が節減されるからである。いわゆる料金データセット（charging ticket）を発生する残りのネットワーク要素は、本発明によれば、単にマーキングの存在に注意し、また次いで場合によってはこのパケットに対する料金データ（charging ticket）を把握しないだけでよい。提供者が応用を無料で提供したいならば、本発明によれば、この応用に対応付けられているＩＰパケットは相応の応用計算機により第１の認可されたネットワーク要素においてマークされる。このマーキングは次いで料金把握ユニットにより評価され、またマークされたＩＰパケットが無料として認識される。ここでも、ネットワーク要素においてのみコスト的に重要なＩＰパケットをコスト的に重要でないＩＰパケットから隔離ないし分離し、またマークする費用は、料金データセットを発生するすべてのネットワーク要素において区別または認識を実行するよりもはるかにわずかである。この目的でこれらのネットワーク要素は無料の応用を有するデータバンクまたは応用の目標アドレスおよびソースアドレスを有するデータバンクを備えていなければならないであろう。
【００１６】
さらに、オペレータが特定の場合にそのカスタマーにサービスを無料で提供したい可能性もある。それはたとえば存在するＰＤＰコンテクストのなかの特定のＴＣＰ・ＵＤＰ・Ｐｏｒｔｓ上の特定の個々の応用ではなく、任意のＩＰデータ伝送に対する完全な無料のＰＤＰコンテクストである。本発明によれば、このＰＤＰコンテクストに対応付けられたすべてのＩＰパケットが応用サーバーによりマークされ得る。こうしてこのＰＤＰコンテクストに対応付けられたすべてのＩＰパケットが料金把握ユニットにより認識され、また料金を請求されない。
【００１７】
本発明による方法の別の好ましい実施形態では、ＩＰパケットが通過すべき移動無線網の境界要素であって、その間に移動無線網の認可されたネットワーク要素が位置している境界要素に、移動無線網に到来するすべてのマークされたＩＰパケットのマーキングを消去する安全機能が導入される。
【００１８】
このことは、端末装置のような移動無線網の境界におけるあらゆる安全リスクが回避され得るという利点を有する。ＩＰパケットの伝送の際に、端末装置のような通過すべき移動無線網のネットワーク境界に誤使用に対する出発点が存在し得る。アタッカーはこの目的ですべてのＩＰパケットが、ＩＰパケットを無料としてマークするマーキングを付けることができよう。料金把握ユニットはそれらのＩＰパケットを料金把握の際に考慮に入れず、またアタッカーは無料でデータを伝送することができよう。本発明によれば、この危険は、伝送すべきＩＰパケットが通過する移動無線網の境界要素に、または料金把握ユニットの前の他の点に、移動無線網に到来するすべてのマークされたＩＰパケットのマーキングを消去する安全機能が導入されることによって、予め検知される。境界要素はたとえばＲＮＣ（Radio Network Controller）または移動パケット・ネットワークへの移行計算機（Gareway）である。この安全機能を用いてマーキングの認可されない利用が阻止される。安全機能が導入される移動無線網の境界要素はその際に、これらの境界要素の向こう側のすべてのネットワーク要素がマーキングに対する応用を有していないように、すなわちここで料金把握もマーキングの認可された利用も行われないように選ばれる。その結果、安全機能を有する境界要素の向こう側のネットワーク要素を通過するＩＰパケットのマーキングは料金把握への作用を有していない。移動無線網の料金把握ユニットと、マーキングの導入を認可されたネットワーク要素とは安全機能を有する境界要素の間に位置している。安全機能の導入により、料金把握ユニットを通過するＩＰパケットのマーキングが認可されており、また不当に発生されない。
【００１９】
本発明による方法の好ましい実施形態では、安全機能がビットマスクを使用する。たとえばセットされているビットを有するバイトへの零のビットマスクの追加のようなビットマスクの利用は、分離の役割をするマーキングを消去し得る非常に簡単な方法である。安全機能は、高い電力要求をせず、また移動無線網に負荷をかけない簡単な機能である。データバンクオペレーションや費用のかかる評価方法は必要でない。安全機能が問題なく移動無線網の既存のネットワーク要素に組み込まれ得るし、またネットワーク要素の能力の非常にわずかな負荷にしか通じない。
【００２０】
本発明による方法の別の好ましい実施形態では、受信側の端末において、到来するＩＰパケットのマーキングを評価するための機能と評価に相応する指示とが行われる。
【００２１】
たとえばＩＰパケットのなかに無料の伝送を信号するためにマーキングを利用する際に、利用者にたとえば無料で伝送されるＩＰパケットの数を指示することは望ましい。このような指示の目的は、ＩＰパケットの伝送に対して、特定のサービスの利用に相応して料金が生じないことを利用者に分りやすくすることである。さらに、利用者に無料で受信されるＩＰパケットの全ボリュームが指示されるべきである。好ましくは、受信側の端末に評価のために設けられている機能はビットマスクを到来するＩＰパケット上に置き、それによって、ＩＰパケットがマークされているかどうか、すなわちたとえば無料で伝送されているかどうか、が評価可能である。カウンタ上の累算により、無料で伝送されるＩＰパケットの全ボリュームが累算され得る。適当な指示機能がこのカウンタにアクセスし得る。
【００２２】
さらに本発明は、ヘッダーおよびデータコンテナを有するＩＰパケットに関し、その際ＩＰパケットがＩＰパケットの特定の群に対応付け可能であり、また群特有のマーキングがヘッダーの領域に書込まれている。
【００２３】
本発明によるＩＰパケットの好ましい実施形態では、ヘッダーの領域が、その領域要素がＩＰパケットの伝送のために予定されている伝送データにより不完全に占められている領域である。
【００２４】
さらに、本発明によるＩＰパケットは好ましくはＩＰｖ６規定に従って構成されている。
【００２５】
ＩＰパケットが無料であることをマーキングが指示するようなＩＰパケットであるのが好ましい。
【００２６】
本発明の他の実施形態は図面を参照して詳細に説明される。
【００２７】
図１にはＩＰインフラストラクチュアの部分が概要を示されている。図示されているのは、移動端末ＭＴに接続されているいわゆる“ユーザー装置”ＵＥである。この移動端末ＭＴを介してユーザー装置が移動無線網ＭＦへアクセスする。移動無線網ＭＦのうちこの図の範囲内で重要なネットワーク要素のみが示されている。この実施例には、ＧＰＲＳ規定に従って動作する第３世代の移動無線網が示されている（ＧＰＲＳ＝General Packet Radio System）。図示されているのは、ＲＮＣ（Radio Network Controller）またはアクセスノードを形成するＢＳＣ（Base Station Controller）である。ＲＮＣから伝送すべきＩＰパケットがＳＧＳＮ（Servicing GPRS Support Node）へ導かれる。ＳＧＳＮは１つの移動端末の移動性をコントロールする制御ネットワークノードである。ＳＧＳＮから出発してＩＰパケットは次いでＧＧＳＮ（Gateway GPRS Support Node）へ導かれる。ＧＧＳＮは、いまの場合にデータパケット制御システムＩＭＳ（ＩＭＳ＝IP Multimedia Subsystem）への、またはたとえばインターネットのようなパケットデータネットワークへの接続を保証するＧＰＲＳネットワークの中央の移行点である。いまたとえばＩＰｖ６の規定に従って構成されており、ヘッダーおよびデータコンテナを有するＩＰパケットがインターネットまたはＩＭＳからユーザー装置ＵＥへ送られ、その際たとえば純粋な信号パケットが無料で伝送されるべきであれば、ＩＰパケットは最初に、それらが純粋な信号データを運ぶかどうかについて検査されなければならない。ＧＧＳＮはいま、インターネットまたはＩＭＳからＧＧＳＮに到来するすべてのＩＰパケットを検査する。ＩＰパケットが信号データのみを含んでいるならば、ＧＧＳＮは移動無線網の最初の認可されたネットワーク要素としてヘッダーの領域にマーキングを行う。このマーキングはいまやすべての、後続の、なおＩＰパケットが通過すべきネットワーク要素に、このＩＰパケットが無料で伝送されることを信号する。ＳＧＳＮもＲＮＣも料金把握ユニットとしての役割をすることができ、またそれによっていわゆる料金データセットを発行することができる。さらに，それらは、マーキングを評価しＩＰパケットを無料と認識する立場にある。マーキングはその際、ＩＰパケットのヘッダーの領域であって、その領域要素が各ＩＰパケットの伝送のために設けられている伝送データにより不完全に占められている領域のなかで行われることは有利である。その際にＩＰパケットはＩＰｖ６規定に従って構成されている。マーキングはいまやたとえば"Flow Label"領域で挿入され得る。さらに、マーキングを"Interface ID"領域で行うことも考えられる。後者はしばしば、すべての領域要素がインタフェースＩＤ情報の受入れのために必要とされないような大きさにディメンジョニングされている。それにより、本発明によれば、利用されないビットまたはバイトがマーキングの挿入のために使用され得る。さらに、付加のＩＰｖ６ヘッダー、いわゆる"拡張ヘッダー"を定義し、またそのなかにマーキングをすることも考えられる。いま信号パケットをマークしたいならば、これらはまずこのようなものとして認識されなければならない。この目的でたとえばＩＰパケットのヘッダーの、知られている信号パケット形式のマスクを有するいわゆるパターン・マーキングが行われ得る。信号パケットとしてのＩＰパケットの認識は、各パケットがまさにこのネットワーク要素のなかで発生され、そのなかで継続ステップでその後に等しいマーキングが行われるならば不要である。
【００２８】
本発明による方法の別の応用可能性はパケットベースの非常呼出しの一種であってもよい。利用者がＩＰｖ６ベースの非常呼出しを有する可能なＩＭＳ緊急応用サーバーにＰＤＰコンテクストを介して呼びかけると、この応用サーバーは特定のＰＤＰコンテクストに対応付けるべき相応のＩＰパケットを、それらが料金把握ユニットによりマーキングの評価の際に無料として認識されるようにマークする。それにより、非常呼び出しがあり得る誤ったクレジットのゆえに打ち切られることが防止される。
【００２９】
本発明による方法の別の応用可能性は、たとえば移動無線電話の作動システムプログラム（ファームウェア）を更新するための無料のサービスであってもよい。利用者が作動システムを更新するためにＩＰｖ６ベースの更新要求を有する可能な応用サーバーにＰＤＰコンテクストを介して呼びかけると、この応用サーバーは本発明により当該のＰＤＰコンテクストに対応付けるべき相応のＩＰパケットの各ヘッダーに、これらのＩＰパケットが料金把握ユニットによりマーキングの評価の際に無料として認識されるようにマーキングをする。それにより、移動無線網のオペレータがオペレータにより運営される端末装置の更新および保守をするためのその義務を、利用者から料金が徴収されることなしに、履行することが可能となる。
【００３０】
図２はＩＰインフラストラクチュアの部分を示す。示されているのは２つの移動端末ＭＴ１、ＭＴ２である。これらの移動端末ＭＴ１およびＭＴ２は移動無線網およびインターネット（ＩＮＥＴ）を介して互いに接続されている。移動無線網に関してはいくつかの重要なネットワーク要素のみが図示されている。ＲＮＣを介して移動端末ＭＴ１が移動無線網へアクセスし得る。さらにＳＧＳＮが制御ネットワークノードとして示されている。また、ここに示されているＭＮＯ（Mobile Network Operator）イントラネットへのアクセスを保証するＧＧＳＮが示されている。イントラネットのゲートウェイを介してインターネットＩＮＥＴへのアクセスが可能にされる。インターネットを介して最後に第２の移動端末への接続が可能である。ＩＰパケットを伝送するため、いまの例では、ＩＰバージョン６、すなわちＩＰｖ６が使用される。本発明による方法の応用においてはその際すべての信号パケットが、これらが料金把握ユニットにより評価され、相応のＩＰパケットが無料として認識され、また相応に取り扱われるように、マーキングを付されるべきである。移動端末のようなネットワーク境界にはいま誤使用に対する潜在的な手掛かりが存在し得る。この目的でアタッカーがすべてのＩＰパケットに、料金把握ユニットにより評価され、また相応のＩＰパケットが無料として認識される特定のマーキングを設けることができよう。結果として料金把握ユニットが認可されたネットワーク要素としてこれらのＩＰパケットを料金把握の際に考慮に入れないであろうし、またアタッカーが無料でデータを伝送することができよう。間に移動無線網の認可されたネットワーク要素が位置している２つの重要な境界要素にいま、移動無線網に到来するすべてのマークされたＩＰパケットを消去する安全機能が導入される。いまの場合には重要な境界要素としてＲＮＣおよびＭＮＯイントラネットのゲートウェイが使用される。移動無線網のこの境界要素のなかに安全機能ＳＦが導入される。この機能ＳＦは、マーキングの認可されていない利用を阻止する課題を有する。両方の境界要素ＲＮＣおよびゲートウェイは、これらの境界要素の向こう側のすべてのネットワーク要素がマーキングの利用のための認可を有していないように選ばれている。境界要素のこちら側のすべてのネットワーク要素はマーキングを利用でき、また境界要素における安全機能の導入によっても阻害されない。安全機能は、安全機能または相応の境界要素を通過するすべてのＩＰパケットのなかのマーキングを消去するための簡単な方法であることが有利である。消去のためにはたとえば簡単なビットマスクが使用され得る。安全機能を通過するすべてのＩＰパケットがマークされるので、費用のかかる評価方法は必要とされない。この形態の安全機能は各ゲートウェイに組み込まれ得る。さらにそれは高い電力要求を有せず、また移動無線網に負荷をかけない。データバンクは必要とされない。
【図面の簡単な説明】
【００３１】
【図１】本発明による方法の１実施例の進行を説明するためのＩＰインフラストラクチュアの概要図である。
【図２】本発明による方法の他の実施例の別の進行を説明するためのＩＰインフラストラクチュアの概要図である。
【符号の説明】
【００３２】
ＵＥ  ユーザー装置
ＭＴ、ＭＴ１、ＭＴ２  移動端末
ＲＮＣ  Radio Network Controller
ＢＳＣ  Base Station Controller
ＳＧＳＮ  Servicing GPRS Support Node
ＧＧＳＮ  Gateway GPRS Support Node
ＩＭＳ  Internet Protocol Multimedia Subsystem
ＩＮＥＴ  インターネット
ＭＮＯ  Mobile Network Operator
【図１】
2006514476.tif 000003
【図２】
2006514476.tif 000004
【国際調査報告】
2006514476.tif 000005
2006514476.tif 000006
2006514476.tif 000007
2006514476.tif 000008
2006514476.tif 000009
2006514476.tif 000010